(57)【要約】【課題】本発明は、薄型の光ディスク装置においても十分な冷却を行うことができ、記録再生特性の劣化を低減させることができる光ディスク装置を提供することを目的とする。【解決手段】光ディスクを回転させる回転駆動手段，移動自在に設けられたキャリッジ，第１の開口を設けたカバーとを備えた光ピックアップモジュールと、これを支持するトレイを備え、前記トレイは光ディスク装着領域部分と前記光ディスク装着領域部分の外側に設けられた光ディスク装着領域外部分を備え、前記光ディスク装着領域部分と前記光ディスク装着領域外部分は前記回転駆動手段の回転軸方向に沿った段差部を有するとともに前記段差部に隙間を有し、前記ディスク取り付け面に装着された光ディスクの前記光ディスク装着領域部分に対向する面の反対面の外縁部が、前記回転軸方向における前記隙間の範囲内に存在するようにした。【選択図】図２
2005100561.tif 000002
【特許請求の範囲】
【請求項１】
ディスク取り付け面を有し光ディスクを回転させる回転駆動手段，少なくとも光源や各種光学部材を搭載し移動自在に設けられたキャリッジ，第１の開口を設けたカバーとを備えた光ピックアップモジュールと、前記光ピックアップモジュールを支持するトレイを備え、前記トレイは光ディスクに対向する光ディスク装着領域部分と前記光ディスク装着領域部分の外側に設けられた光ディスク装着領域外部分を備え、前記光ディスク装着領域部分と前記光ディスク装着領域外部分は前記回転駆動手段の回転軸方向に沿った段差部を有するとともに前記段差部に隙間を有し、前記ディスク取り付け面に装着された光ディスクの前記光ディスク装着領域部分に対向する面の反対面の外縁部が、前記回転軸方向における前記隙間の範囲内に存在し、光ディスクの回転によって生じる空気流は前記隙間に流れ込むことを特徴とする光ディスク装置。
【請求項２】
光ピックアップモジュールは光ディスク装着領域部分に設けられた第２の開口に一部を表出させるとともに一部は光ディスク装着領域外部分の裏面側に配置され、隙間は前記光ディスク装着領域外部分の裏面と前記光ピックアップモジュールの間にて形成されることを特徴とする請求項１記載の光ディスク装置。
【請求項３】
光ディスク装着領域外部分の裏面側に凹部を設けるとともに前記凹部は段差部に開口部を有し、隙間は前記凹部と光ピックアップモジュールもしくは光ディスク装着領域部分の少なくとも一方の間にて形成されたことを特徴とする請求項１記載の光ディスク装置。
【請求項４】
開口部は第１の開口に対向し、更に前記第１の開口に対してディスク回転方向とは反対の向きの方向に延設されたことを特徴とする請求項３記載の光ディスク装置。
【請求項５】
凹部はトレイ引き出し方向に対して略直交しトレイに形成された第１の側壁と第１の開口に対向し前記トレイに形成され前記第１の側壁に対して非平行な第２の側壁と前記トレイに形成され底壁を含んで構成されることを特徴とする請求項３記載の光ディスク装置。
【請求項６】
第２の側部は底壁に対して傾斜した傾斜面を形成することを特徴とする請求項５記載の光ディスク装置。
【請求項７】
ディスク回転軸方向から見て、凹部と対向する光ディスク装着領域外部分に隆起部を設けたことを特徴とする請求項３記載の光ディスク装置。
【請求項８】
隆起部はトレイとは別部材で構成され、前記別部材を前記トレイに取り付けことで、隆起部を形成したことを特徴とする請求項７記載の光ディスク装置。
【請求項９】
第１の開口の一部は、光ディスク装着領域外部分の裏面側に対向して配置されることを特徴とする請求項１記載の光ディスク装置。
【請求項１０】
第１の開口の一部は、光ディスク装着領域外部分の裏面側に対向して配置され、前記第１の開口の対向部分は他の部分のよりも広く形成したことを特徴とする請求項１記載の光ディスク装置。
【請求項１１】
トレイを出没自在に保持する筐体を設け、前記筐体の中央部分の厚みが１４ｍｍ以下であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
図９は従来の光ディスク装置を示す斜視図である。
【０００３】
図９において、１は光ディスク装置で、光ディスク装置１は、筐体２と、筐体２に出没自在に保持されたトレイ３とを有している。筐体２は、筐体部２ａと筐体部２ｂから構成されている。トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部３ｅが設けられており、光ディスク装着領域部３ｄは光ディスク装着領域外部３ｅに対して凹部を形成している。光ディスク装着領域部３ｄと光ディスク装着領域外部３ｅは段差部３ｈにて繋がっている。また、光ディスク装着領域部３ｄには開口３ｃが設けられており、開口３ｃに裏面から挿入して光ピックアップモジュール４が取り付けられている。したがって光ピックアップモジュール４は大部分がディスク装着面側に露出しているが、一部は光ディスク装着領域外部３ｅの裏側に配置されている。この為、隣接する段差部３ｈには光ピックアップモジュール４との衝突を回避する為に回避部３ｉが設けられている。回避部３ｉは段差部３ｈにおいて少なくとも光ピックアップモジュール４の幅Ｂの範囲にわたって設けられている。
【０００４】
トレイ３の両側部には移動自在にレール３ａが設けられ、このレール３ａはトレイ３に一体に設けられたレール保持部３ｂに保持されている。なお、図９では一方の側部しかレール３ａは設けられていなが、他方の側部に同様のレールなどが設けられている。光ピックアップモジュール４には光ディスクを回転駆動させるスピンドルモータ５と、スピンドルモータ５から外周にかけて開口６ａを設けた金属製のカバー６、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動する。８はトレイ３の前面に設けられたベゼルで、ベゼル８は筐体２の開口を塞ぐ程度の大きさで構成されている。
【０００５】
キャリッジ７には、高出力のレーザーダイオード等の光源，各種光学部材及び光ディスク上に光スポットを構成する対物レンズなどが搭載されている。光ディスクに記録などを行う際には、高出力の光源や、その光源を駆動するＩＣ等が必要となってくる。その結果、光源やＩＣの発熱がおびただしくなって、記録再生特性に影響を及ぼすことが生じてきている。特に図９に示すような光ディスク装置１においては、薄型化や小型化を求められているので、熱容量が低下し問題となっている。具体的には、筐体２の中央部分の厚みが１４ｍｍ以下、更には１０ｍｍ以下というような薄型の光ディスク装置１においては、特に顕著に行われる。
【０００６】
（特許文献１）及び（特許文献２）には、光ディスクを回転させる際に生じる空気流をキャリッジ７に導いて、冷却する方法が記載されているが、上記各特許文献は、そもそも、筐体２の中央部の厚みが１４ｍｍ以下或いは１０ｍｍ以下の光ディスク装置は想定していない。
【特許文献１】特開平１１−２５６６７号公報
【特許文献２】特開２０００−２３１７８２号公報
【発明の開示】
【発明が解決しようとする課題】
【０００７】
しかしながら上記各特許文献は、そもそも、筐体２の中央部の厚みが１４ｍｍ以下或いは１０ｍｍ以下の光ディスク装置は想定していない。従って、上記図９に示すような薄型の光ディスク装置１に単に、空気流入路等を設けたとしても十分な冷却は困難であり、依然として熱問題が生じていた。
【０００８】
本発明は、上記従来の課題を解決するもので、極めて薄型の光ディスク装置においても十分な冷却を行うことができ、記録再生特性の劣化を低減させることができる光ディスク装置を提供することを目的とする。
【課題を解決するための手段】
【０００９】
かかる課題を解決する為に本発明は、ディスク取り付け面を有し光ディスクを回転させる回転駆動手段，少なくとも光源や各種光学部材を搭載し移動自在に設けられたキャリッジ，第１の開口を設けたカバーとを備えた光ピックアップモジュールと、前記光ピックアップモジュールを支持するトレイを備え、前記トレイは光ディスクに対向する光ディスク装着領域部分と前記光ディスク装着領域部分の外側に設けられた光ディスク装着領域外部分を備え、前記光ディスク装着領域部分と前記光ディスク装着領域外部分は前記回転駆動手段の回転軸方向に沿った段差部を有するとともに前記段差部に隙間を有し、前記ディスク取り付け面に装着された光ディスクの前記光ディスク装着領域部分に対向する面の反対面の外縁部が、前記回転軸方向における前記隙間の範囲内に存在し、光ディスクの回転によって生じる空気流は前記隙間に流れ込むこととした。
【発明の効果】
【００１０】
本発明は、効率よく空気流を循環させることができるので、特に薄型及び小型化された光ディスク装置の熱対策を行うことができ、熱による記録再生特性の劣化などの不具合を抑えることができる。
【発明を実施するための最良の形態】
【００１１】
請求項１記載の発明は、ディスク取り付け面を有し光ディスクを回転させる回転駆動手段，少なくとも光源や各種光学部材を搭載し移動自在に設けられたキャリッジ，第１の開口を設けたカバーとを備えた光ピックアップモジュールと、前記光ピックアップモジュールを支持するトレイを備え、前記トレイは光ディスクに対向する光ディスク装着領域部分と前記光ディスク装着領域部分の外側に設けられた光ディスク装着領域外部分を備え、前記光ディスク装着領域部分と前記光ディスク装着領域外部分は前記回転駆動手段の回転軸方向に沿った段差部を有するとともに前記段差部に隙間を有し、前記ディスク取り付け面に装着された光ディスクの前記光ディスク装着領域部分に対向する面の反対面の外縁部が、前記回転軸方向における前記隙間の範囲内に存在し、光ディスクの回転によって生じる空気流は前記隙間に流れ込むことを特徴とする光ディスク装置であり、効率よく空気流を循環させることができるので、特に薄型及び小型化された光ディスク装置の熱対策を行うことができ、熱による記録再生特性の劣化などの不具合を抑えることができる。
【００１２】
請求項２記載の発明は、光ピックアップモジュールは光ディスク装着領域部分に設けられた第２の開口に一部を表出させるとともに一部は光ディスク装着領域外部分の裏面側に配置され、隙間は前記光ディスク装着領域外部分の裏面と前記光ピックアップモジュールの間にて形成されることを特徴とする請求項１記載の光ディスク装置であり、隙間を通じ効率よく空気流を循環させることができるので、特に薄型及び小型化された光ディスク装置の熱対策を行うことができる。
【００１３】
請求項３記載の発明は、光ディスク装着領域外部分の裏面側に凹部を設けるとともに前記凹部は段差部に開口部を有し、隙間は前記凹部と光ピックアップモジュールもしくは光ディスク装着領域部分の少なくとも一方の間にて形成されたことを特徴とする請求項１記載の光ディスク装置であり、開口部から取り込まれた空気流が凹部を通じて効率よく循環する為、特に薄型及び小型化された光ディスク装置の熱対策を効果的に行うことが出来る。
【００１４】
請求項４記載の発明は、開口部は第１の開口に対向し、更に前記第１の開口に対してディスク回転方向とは反対の向きの方向に延設されたことを特徴とする請求項３記載の光ディスク装置であり、ディスクの回転によってディスク外縁部に発生する空気流を効果的に取り込むことが出来る。
【００１５】
請求項５記載の発明は、凹部はトレイ引き出し方向に対して略直交しトレイに形成された第１の側壁と第１の開口に対向し前記トレイに形成され前記第１の側壁に対して非平行な第２の側壁と前記トレイに形成された底壁を含んで構成されることを特徴とする請求項３記載の光ディスク装置であり、ディスクの回転によってディスク外縁部に発生する空気流を効果的に取り込むとともに第１の開口からトレイの光ディスク装着側と反対側の領域（トレイ３と筐体部２ｂで挟まれた空間）に効率的に導き、キャリッジに搭載された高出力の光源や光源の駆動ＩＣ等を効果的に冷却することが出来る。
【００１６】
請求項６記載の発明は、第２の側部は底壁に対して傾斜した傾斜面を形成することを特徴とする請求項５記載の光ディスク装置であり、傾斜面によって空気流を効果的に第１の開口からトレイの光ディスク装着側と反対側の領域（トレイ３と筐体部２ｂで挟まれた空間）に導くことが出来る。
【００１７】
請求項７記載の発明は、ディスク回転軸方向から見て、凹部と対向する光ディスク装着領域外部分に隆起部を設けたことを特徴とする請求項３記載の光ディスク装置であり、光ディスクの回転によって生じる空気流を効果的に取り込む凹部をトレイ全体を厚くすることなく形成することが出来る。
【００１８】
請求項８記載の発明は、隆起部はトレイとは別部材で構成され、前記別部材を前記トレイに取り付けことで、隆起部を形成したことを特徴とする請求項７記載の光ディスク装置。であり、凹部の部分の肉厚をより柔軟に設定でき、設計自由度を増すことが出来る。
【００１９】
請求項９記載の発明は、第１の開口の一部は、光ディスク装着領域外部分の裏面側に対向して配置されることを特徴とする請求項１記載の光ディスク装置であり、空気流を効果的に第１の開口からトレイの光ディスク装着側と反対側の領域に導くことが出来る。
【００２０】
請求項１０記載の発明は、第１の開口の一部は、光ディスク装着領域外部分の裏面側に対向して配置され、前記第１の開口の対向部分は他の部分のよりも広く形成したことを特徴とする請求項１記載の光ディスク装置であり、第１の開口からの空気流の取り込みをより効率化することが出来る。
【００２１】
請求項１１記載の発明は、筐体の中央部分の厚みが１４ｍｍ以下（または１０ｍｍ以下）であることを特徴とする請求項１記載の光ディスク装置であり、この様な薄型の光ディスク装置においては、特に有効である。
【００２２】
（実施の形態１）
以下、本発明における光ディスク装置の実施の形態について説明する。
【００２３】
図１、図２は本発明の一実施の形態における光ディスク装置を示す斜視図、図３は本発明の一実施の形態における光ディスク装置を表面（ディスク装着側）から見た図、図４は本発明の一実施の形態における光ディスク装置のトレイを裏面（ディスク装着側とは反対側）から見た図、図５は本発明の一実施の形態における光ディスク装置のトレイを表面（ディスク装着側）から見た図、図６は本発明の一実施の形態における光ディスク装置の部分断面図、図７は本発明の別の一実施の形態における光ディスク装置を表面（ディスク装着側）から見た図、図８は空気流の流れを示す図である。
【００２４】
図１において、１は光ディスク装置で、光ディスク装置１は、筐体２と、筐体２に出没自在に保持されたトレイ３とを有している。図１はトレイ３を筐体から引き出した状態を示している。筐体２は従来の技術と同様に筐体部２ａと筐体部２ｂを組み合わせて袋状の構成となっており、筐体２の開口からトレイ３が出没する。図２、図３はトレイ３を筐体２に収納した状態の図であり、説明の為筐体部２ａを除去している。
【００２５】
筐体部２ａと筐体部２ｂとは好ましくは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工などによって形成される。また、平均肉厚の比較的厚い場合には筐体部２ａ及び筐体部２ｂはダイカスト（アルミ，マグネシウム合金など）で構成される。
【００２６】
トレイ３は、樹脂製のフレームで構成されている。トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部３ｅが設けられており、光ディスク装着領域部３ｄは光ディスク装着領域外部３ｅに対して１．５ｍｍから４ｍｍ程度（装着される光ディスクの厚みと同じかやや大きい程度）陥没した凹部を形成している。本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディスクの直径と同じか１ｍｍ〜７ｍｍほど大きくなっている。光ディスク装着領域外部３ｅは概略三角形状となっている。また、光ディスク装着領域部３ｄは光ディスクを装着した際には、光ディスクと対向する部分を含み外周部にわずかな隙間を有する領域を示しており、光ディスク装着領域外部３ｄは、光ディスクの主面とは全く対向しない領域である。
【００２７】
光ディスク装着領域部３ｄには開口３ｃが設けられており、開口３ｃに裏面から挿入して光ピックアップモジュール４が取り付けられている。光ピックアップモジュール４は大部分が光ディスク装着面側に露出しており、一部は光ディスク装着領域外部３ｅの裏側に配置されている。この為、隣接する段差部３ｈには光ピックアップモジュール４との衝突を回避する為に回避部３ｉが設けられている。
【００２８】
光ディスク装着領域部３ｄのほぼ中心にはスピンドルモータ５が設けられている。開口３ｃからは、スピンドルモータ５の少なくとも一部が突出しており、しかもキャリッジ７及びカバー６も表出している。
【００２９】
８はトレイ３の前端面に設けられたベゼルで、ベゼル８は筐体２の開口を塞ぐ程度の大きさで構成されている。
【００３０】
また、トレイ３の両側部には移動自在にレール３ａが設けられ、このレール３ａはトレイ３に一体に設けられたレール保持部３ｂに保持されている。なお、図１では一方の側部しかレール３ａは見えないが、他方の側部に同様のレールなどが設けられている。
【００３１】
光ピックアップモジュール４には光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７には高出力のレーザーダイオード等の光源，各種光学部材及び光ディスク上に光スポットを構成する対物レンズ、光源を駆動するＩＣなどが搭載されている。キャリッジ７は光ピックアップモジュール４に設けられた複数の案内シャフト（図示せず）に移動自在に保持されており、しかもフィードモータ（図示せず）によって、スピンドルモータ５に近づいたり、離れたりするように移動する。
【００３２】
次に、回避部３ｉ周りの構成について詳細に説明する。回避部３ｉは、段差部３ｈにおいて光ピックアップモジュール４との衝突を回避する様にほぼ光ピックアップモジュール４の幅Ｂにわたって設けられている。また、回避部３ｉは開口３ｃの一部を形成している。回避部３ｉを通して光ピックアップモジュール４は光ディスク装着領域外部３ｅの裏面３ｊ側に入る（図４参照）。したがって、光ピックアップモジュール４が光ディスク装着領域外部３ｅの裏面３ｊ側に入った部分においては、光ピックアップモジュール４と光ディスク装着領域外部３ｅの裏面３ｊが対向しており、開口６ａと裏面３ｊが対向している。
【００３３】
通常光ピックアップモジュール４は外部からの振動を受けないようにダンパーを介してトレイ３に固定されている為、光ピックアップモジュール４はトレイ３に対して若干移動することが起こりうる。従って、衝突を回避する為に回避部３ｉが設けられていると共に光ディスク装着領域外部３ｅの裏側３ｊと光ピックアップモジュール４間には若干の間隔が設けられている。
【００３４】
光ディスク装着領域外部３ｅの裏面３ｊには段差部３ｈに開口部３ｋを有する凹部３ｌが設けられている。開口部３ｋは、段差部３ｈに回避部３ｉに加えて設けられている。
【００３５】
凹部３ｌは、ディスク回転軸方向から見ると概略三角形状となっている。凹部３ｌの、その一辺に対応する側壁は、光ディスク装着領域部３ｄをディスク回転軸方向から見た際の略円形状の接線であって接点からディスクの回転する向きに延ばした接線の一部に概略沿っている（図３中Ｆ）。他の一辺は段差部３ｈをディスク回転軸方向から見た際の略円形状の円弧の一部に対応しており（図３中Ｈ）、この部分に開口部３ｋが設けられている。残りの一辺に対応する側壁は、開口６ａの近傍にあってスピンドルモータ５の回転中心を通る直線の一部に沿っている（図３中Ｇ）。また凹部３ｌは、周辺部を除いて略平坦な底壁３ｎを形成している。側壁の形状については、前述の概略三角形状の一辺で開口６ａの近傍にあってスピンドルモータ５の回転中心を通る直線の一部に沿っている部分（図３中Ｇ）には、低壁３ｎから繋がる傾斜面３ｐが設けられている。
【００３６】
図５のＤＤ’断面図である図６に示すように、底壁３ｎは光ディスク装着領域部３ｄもしくは光ピックアップモジュール４のカバー６との間に隙間を構成し、段差部３ｈにおいて開口部３ｋを形成している。光ディスクの装着時において光ディスク９のラベル面９ｂ（光ディスク装着領域部分３ｄに対向する面の反対面）の少なくとも外縁部は、光ディスク回転軸方向においてこの隙間の範囲内に存在している。あるいは、底壁３ｎは光ディス
クの装着時においてディスク９のラベル面９ｂと略同一平面上にあるか、もしくは低壁３ｎはラベル面９ｂよりもディスク回転軸方向において光ディスク装着領域部３ｄから離れている。好ましくは、低壁３ｎはラベル面９ｂよりもディスク回転軸方向において光ディスク装着領域部３ｄから離れており、ディスク回転軸方向で低壁３ｎとラベル面９ｂ間に間隙Ｅを有する。
【００３７】
一方、光ディスク装着領域外部３ｅの表側には隆起部３ｍが設けられている。隆起部３ｍはトレイ３をディスク回転軸方向からみて、裏面３ｊの凹部３ｌの範囲より少なくとも広く設けており、裏面３ｊの凹部３ｌと隆起部３ｍ間の肉厚が最薄部でも所定の量になるよう、隆起部３ｍの形状が設定されている。さらに、隆起部３ｍの高さは、トレイ３を筐体２に収納した際に少なくとも筐体２に衝突することがないよう設定されている。加えて、裏面３ｊの半凹部３ｌと隆起部３ｍ間の肉厚は強度や加工性なども考慮して設定されるが、例えばトレイ全体を射出成型による成型品にて構成する場合、成型性を考慮して最も薄い部分の肉厚は０．５ｍｍ以上あることが望ましい。
【００３８】
なお、隆起部３ｍはトレイ３とは別体で構成したものであっても良い。すなわち、隆起部３ｍを別部品で形成し、所定の位置に貼り付けたものであっても良い。この場合、隆起部３ｍの材質を適当に設定することにより、強度を確保しつつより肉厚を薄くすることも出来るので、より製品の薄型化に対応できる。
【００３９】
カバー６の開口６ａについては、従来の技術では開口６ａのベゼル８側の端部は矩形状の形状をしているが、本実施の形態においては、裏面３ｊに対向する部分近傍において他の部分よりも広くなっており、拡大部６ｂを形成している。
【００４０】
この様な構成によると、スピンドルモータ５によって回転駆動された光ディスクによって発生した空気流は、光ディスクの外周部で比較的強い空気流となっており、しかもその空気流は、開口部３ｋを通して、トレイ３の光ディスク装着側と反対側の領域（トレイ３と筐体部２ｂで挟まれた空間）に効率的に流れ込む。すると、前記反対側の領域には、高出力の光源や光源の駆動ＩＣ等が搭載されたキャリッジ７が存在するので、上記空気流の流入により、空気が拡散されることで、効果的に光源などの冷却を行うことができる。また、回転する光ディスクによって発生する空気流は、光ディスクの外周端部で光ディスクの接線方向、回転する向きに沿って吹き出す空気流が強いが、凹部３ｌの形状のディスクの回転する向きに延ばした接線の一部に概略一致した部分によって、図５中矢印Ａに示すようにこれを効率よく拾うことが出来る。また、傾斜面３ｐを設けたことによって、開口部３ｋから入った空気流の向きを変え、開口６ａからトレイ３の光ディスク装着側と反対側の領域に効率よく導くことが出来る。
【００４１】
また拡大部６ｂを形成しているため、さらに空気流をトレイ３の光ディスク装着側と反対側の領域に効率よく導くことが出来る。開口６ａは、裏面３ｊに対向する部分近傍で形成することにより、表面に露出しないことが望ましい。こうすることによって、光ピックアップモジュール４の精密部品に使用者が触れることを低減することが出来る。
【００４２】
なお傾斜面３ｐは上記のような作用を有することから、ディスク回転軸方向から見て開口６ａの範囲内に傾斜面３ｐの全体または大部分があることがのぞましい。傾斜面ｐの端部（図３中Ｇ）はディスク回転軸方向から見て開口６ａの範囲内もしくは開口６ａの縁部近傍にあることが望ましい。こうすることによって空気流は図５中ＣＣ’断面図にて矢印Ａで示すように傾斜面３ｐに当たって向きを変え、より効率よく開口６ａに導くことが出来る。
【００４３】
さらに光ディスクのデータ面９ａと光ディスク装着領域部３ｄの間隔よりも光ディスク
のラベル面９ｂと筐体２裏面の間隔の方が広く、空気層が大きい為、回転駆動された光ディスクによって光ディスクの外周端部に発生する空気流は、回転軸方向データ面９ａ寄りに比べラベル面９ｂ寄りの方が強い傾向がある。これに対して本発明の実施の形態では、低壁３ｎはディスク装着時において光ディスク９のラベル面９ｂ（データ面９ａとは反対の面）と略同一平面上にあるか、もしくは低壁３ｎはラベル面９ｂよりもディスク回転軸方向において光ディスク装着領域部３ｄから離れている。したがって、この光ディスクの外周端部ラベル面９ｂ寄りに発生する強い空気流を効率よく開口部３ｋから取り込むことが出来る。
【００４４】
従来の構成に対して本実施の形態では、このキャリッジに搭載された光源や各種光学部材を含む部分の温度は、４℃以上低減できることが分かった。すなわち、従来の技術の様に、単に空気の流路を構成するのでは、筐体２の中央部分の厚みが１４ｍｍ以下或いは１０ｍｍ以下の光ディスク装置１においては効果的な冷却は困難であったが、本実施の形態の構成により、非常に効果的に光ディスクで発生した空気流をキャリッジ７のほとんどが収納される筐体部２ｂとトレイ３との間の空間に導くことができるので、極めて高い冷却性能を得ることができる。
【００４５】
なお凹部３ｌをディスク回転軸方向から見た形状は、開口６ａに対向した部分を少なくとも含み、開口６ａに対向した部分からディスク回転方向とは反対の向きに延長された任意の形状が可能である。開口部３ｋも開口６ａに対向した部分からディスク回転方向とは反対の向きに延長されている。これらの形状において、従来の技術よりも回転駆動された光ディスクによって発生した空気流を効果的に導くことが出来る。図７において傾斜面３ｐは開口６ａを横切るように設けられており、空気流を効果的に導くことが出来る。
【００４６】
また、図８は空気流の流れを示す図であり、カバー６と筐体部２ａとの間の領域Ｌ１で光ディスクが回転すると、効率よく空気流は開口部３ｋと開口６ａを通過して、光源やその駆動ＩＣ等を搭載したキャリッジ７がほとんど存在する領域Ｌ２に流れ込み、空気流（図６の矢印）が効果的にしかも、領域Ｌ２の空気を十分に攪拌していることが分かる。図６に示すように、領域Ｌ２では光ピックアップモジュール４の他の部材に衝突したりしてスピンドルモータ５に向かう空気流が発生してることが分かる。従って、キャリッジ７の移動方向に沿って空気流を発生させることができるので、常にキャリッジに空気流を当てることができ冷却効率を向上させることができる。
【００４７】
本実施の形態では、気体流として空気を用いたが、他の気体を用いても良い。
【産業上の利用可能性】
【００４８】
本発明の光ディスク装置は、効率よく空気流を循環させることができるので、特に薄型及び小型化された光ディスク装置の熱対策を行うことができ、熱による記録再生特性の劣化などの不具合を抑えることができる効果を有し、パーソナルコンピュータ，ノートブック型コンピュータなどの電子機器に適応できる。
【図面の簡単な説明】
【００４９】
【図１】本発明の一実施の形態における光ディスク装置を示す斜視図
【図２】本発明の一実施の形態における光ディスク装置を示す斜視図
【図３】本発明の一実施の形態における光ディスク装置を表面から見た図
【図４】本発明の一実施の形態における光ディスク装置のトレイを裏面から見た図
【図５】本発明の一実施の形態における光ディスク装置のトレイを表面から見た図
【図６】本発明の一実施の形態における光ディスク装置の部分断面図
【図７】本発明の別の一実施の形態における光ディスク装置を表面から見た図
【図８】空気流の流れを示す図
【図９】従来の光ディスク装置を示す斜視図
【符号の説明】
【００５０】
１    光ディスク装置
２    筐体
２ａ、２ｂ    筐体部
３    トレイ
３ａ    レール
３ｂ    レール保持部
３ｃ    開口
３ｄ    光ディスク装着領域部
３ｅ    光ディスク装着領域外部
３ｈ    段差部
３ｉ    回避部
３ｊ    裏面
３ｋ    開口部
３ｌ    凹部
３ｍ    隆起部
３ｎ    低壁
３ｐ    傾斜面
４    光ピックアップモジュール
５    スピンドルモータ
６    カバー
６ａ    開口
６ｂ    拡大部
７    キャリッジ
８    ベゼル
９    光ディスク
９ａ    データ面
９ｂ    ラベル面
Ａ    空気流
【図１】
2005100561.tif 000003
【図２】
2005100561.tif 000004
【図３】
2005100561.tif 000005
【図４】
2005100561.tif 000006
【図５】
2005100561.tif 000007
【図６】
2005100561.tif 000008
【図７】
2005100561.tif 000009
【図８】
2005100561.tif 000010
【図９】
2005100561.tif 000011